(57)【特許請求の範囲】
【請求項１】
室内側表面板と下面板とに室内側開口部と下部開口部が形成された中空部を有する金属製扉と、
換気口を有するパネル本体の周縁にフランジが設けられた換気ユニットと、
通気用開口部を有する取付プレートにブラケットを固着した取付用部材を備え、
前記取付用部材のブラケットは下部開口部から中空部内に挿入されて取付プレートは金属製扉の下面板に固着され、前記パネル本体は室内側開口部から中空部に挿入されて前記ブラケットに固着され、フランジが室内側開口部を被覆していることを特徴とする金属製扉の換気ユニット取付構造。
【請求項２】
換気ユニットのパネル本体の裏面には第２換気口を有する可動プレートが、第２換気口と換気口が一致する第１の位置と換気口を閉塞する第２の位置とに亘って移動自在に設けられ、
前記換気ユニットにはスプリングが熱溶融材を介して取付けられ、熱溶融材が溶融するとスプリングで可動プレートが第２の位置に移動するようにした請求項１記載の金属製扉の換気ユニット取付構造。
【請求項３】
前記取付用部材の取付プレートの通気用開口部には防虫ネットが張設してある請求項１記載の金属製扉の換気ユニット取付構造。
【発明の詳細な説明】
【０００１】
【発明の属する技術分野】
本発明は、玄関ドア等に用いる金属製扉に換気ユニットを取付ける構造に関する。
【０００２】
【従来の技術】
金属製扉の下端面と金属製扉の室内面との間に空気が流通するようにし、室内を換気できるようにした換気機能を有する金属製扉が提案されている。
【０００３】
【発明が解決しようとする課題】
前述の換気機能を有する金属製扉は、扉本体を製作する時に換気機能を扉本体内に組込む形状に製作することになり、扉本体を組立てた後に換気機能を取付けて金属製扉を製作することは困難であった。また、換気機能の取替えやメンテナンスの際は扉本体を分解しなければならないため実質的には不可能であった。
【０００４】
そこで、本発明は前述の課題を解決できるようにした金属製扉の換気ユニット取付構造を提供することを目的とする。
【０００５】
【課題を解決するための手段】
第１の発明は、室内側表面板と下面板とに室内側開口部と下部開口部が形成された中空部を有する金属製扉と、
換気口を有するパネル本体の周縁にフランジが設けられた換気ユニットと、
通気用開口部を有する取付プレートにブラケットを固着した取付用部材を備え、
前記取付用部材のブラケットは下部開口部から中空部内に挿入されて取付プレートは金属製扉の下面板に固着され、前記パネル本体は室内側開口部から中空部に挿入されて前記ブラケットに固着され、フランジが室内側開口部を被覆していることを特徴とする金属製扉の換気ユニット取付構造である。
【０００６】
第２の発明は、第１の発明において、換気ユニットのパネル本体の裏面には第２換気口を有する可動プレートが、第２換気口と換気口が一致する第１の位置と換気口を閉塞する第２の位置とに亘って移動自在に設けられ、
前記換気ユニットにはスプリングが熱溶融材を介して取付けられ、熱溶融材が溶融するとスプリングで可動プレートが第２の位置に移動するようにした金属製扉の換気ユニット取付構造である。
【０００７】
第３の発明は、第２の発明における取付用部材の取付プレートの通気用開口部に防虫ネットが張設してある金属製扉の換気ユニット取付構造である。
【０００８】
【作    用】
第１の発明によれば、通気用開口部と中空部と換気口を通して室外と室内とに空気が流通するから、換気機能を有する金属製扉となる。
【０００９】
また、金属製扉の下面板の下部開口部からブラケットを挿入して取付用部材を取付け、室内側表面板の室内側開口部から換気ユニットのパネル本体を挿入し、ブラケットに固着することで換気ユニットを取付けできるから、組立てた状態の金属製扉に換気ユニットを簡単に取付けできる。
【００１０】
また、室内側開口部はフランジで覆われるし、下部開口部は取付プレートで覆われるから、各開口部が見えずに見栄えが良い。
【００１１】
第２の発明によれば、火災時に熱溶融材が溶融して可動プレートで換気口が自動的に閉塞されるので、防火扉となる。
【００１２】
第３の発明によれば、金属製扉の内部に虫が侵入しない。
【００１３】
【発明の実施の形態】
図１と図２に示すように、金属製扉１は金属製の室外側表面板２、金属製の室内側表面板３、金属製の左右端面板４、金属製の下面板５、金属製の上面板（図示）等によって中空部６を有する所定の厚さと幅と高さを有する矩形板状体である。前記中空部６内にはコ字状断面の骨材７が複数固着されて補強してある。
【００１４】
前記室内側表面板３の下部寄りに室内側開口部８が形成され、下面板５には下部開口部９が形成されている。前記室内側開口部８には換気ユニット１０が取付けられる。
【００１５】
前記換気ユニット１０は複数のスリット状の換気口１１を有するパネル本体１２と、このパネル本体１２の周縁と連続した枠形状の横片１３と、この横片１３と連続した外向きのフランジ１４でほぼ皿形状である。つまり、換気ユニット１０は一枚のスチール製板をプレス加工してフランジ１４と、このフランジ１４よりも奥で換気口１１を有するパネル本体１２を有する形状としてある。
【００１６】
前記パネル本体１２の四隅に透孔１５が形成してある。前記パネル本体１２は室内側開口部８よりも小さく、フランジ１４は室内側開口部８よりも大きい。
【００１７】
前記下部開口部８から中空部６内に取付用部材２０が取付けられる。この取付用部材２０は通気用開口部２１を有する取付プレート２２と、この取付プレート２２に固着したブラケット２３で形成してある。前記ブラケット２３は縦板２４と、この縦板２４の両端部と連続した一対のＬ字片２５で平面形状ほぼコ字状としてある。
【００１８】
前記ブラケット２３の平面形状は下部開口部９よりも若干小さく、前記取付プレート２２は下部開口部９よりも大きい。取付プレート２２には透孔２６が形成され、Ｌ字片２５の室内側片２５ａにビス穴２７が形成してある。
【００１９】
前記取付用部材２０のブラケット２３を下部開口部９から中空部６内に挿入し、取付プレート２２の透孔２６からビス２８を下面板５のビス穴２９に螺合して取付用部材２０を下面板５に取付ける。これによって、下部開口部９の周縁が取付プレート２２で覆われるから見栄えが良い。なお、骨材７にはブラケット２３が挿通する開口部７ａが形成してある。
【００２０】
換気ユニット１０のパネル本体１２を室内側開口部８に挿入してブラケット２３のＬ字片２５の室内側片２５ａと対向させ、透孔１５からビス３０をビス穴２７に螺合して換気ユニット１０を取付け、フランジ１４を室内側表面板３に添接して取付ける。これによって、室内側開口部８の周縁がフランジ１４で覆われるから見栄えが良い。
【００２１】
前述のようにして換気ユニット１０を取付けることで、通気用開口部２１と中空部６と換気口１１を通して室内と室外とに空気が流通するから、換気機能を有する金属製扉となる。
【００２２】
また、金属製扉１０に室内側開口部８と下部開口部９を形成し、取付用部材２０を取付けると共に、換気ユニット１０を取付ければ良いから、組立てた状態の金属製扉１に換気ユニットを簡単に取付けできると共に、金属製扉１を分解することなく換気ユニット１０を簡単に取替え、メンテナンスすることができる。
【００２３】
また、取付プレート２２の通気用開口部２１に防虫ネット３１が張設してあるから、金属製扉１の中空部６内に虫が入り込むことがない。
【００２４】
図２と図３と図４に示すように、前記パネル本体１２の裏面には可動プレート４０が左右移動自在に設けてある。この可動プレート４０には複数のスリット形状の第２換気口４１が形成してあり、その可動プレート４０は第２換気口４１が換気口１１と合致した第１の位置と換気口１１を閉塞する第２の位置とに亘って左右方向に移動する。
【００２５】
前記パネル本体１２の長穴４２からつまみ４３が可動プレート４０に連結され、このつまみ４３で可動プレート４０を左右に移動できるようにしてある。前記換気ユニット１０の横片１３には左右一対のスプリング取付部材４４が固着され、このスプリング取付部材４４間にスプリング４５が熱溶融材、例えばヒューズ４６を介して張設してある。このスプリング４５の直線部分４５ａが可動プレート４０に固着した突片４７を貫通している。
【００２６】
前記ヒューズ４６が溶融するとスプリング４５が弾性復元してフック部４５ｂが突片４７に当接し、スプリング４５の弾性復元力で可動プレート４０が第２の位置に移動して換気口１１を閉塞する。
【００２７】
このようであるから、火災時にヒューズ４６が溶融して換気口１１が可動プレート４０で自動的に閉塞され、室内と室外とに空気が流通しなくなるので、防火扉となる。
【００２８】
【発明の効果】
請求項１に係る発明によれば、通気用開口部と中空部と換気口を通して室外と室内とに空気が流通するから、換気機能を有する金属製扉となる。
【００２９】
また、金属製扉の下面板の下部開口部からブラケットを挿入して取付用部材を取付け、室内側表面板の室内側開口部から換気ユニットのパネル本体を挿入し、ブラケットに固着することで換気ユニットを取付けできるから、組立てた状態の金属製扉に換気ユニットを簡単に取付けできると共に、金属製扉を分解することなく換気ユニットを簡単に取替え、メンテナンスすることができる。
【００３０】
また、室内側開口部はフランジで覆われるし、下部開口部は取付プレートで覆われるから、各開口部が見えずに見栄えが良い。
【００３１】
請求項２に係る発明によれば、火災時に熱溶融材が溶融して可動プレートで換気口が自動的に閉塞されるので、防火扉となる。
【００３２】
請求項３に係る発明によれば、金属製扉の内部に虫が侵入しない。
【図面の簡単な説明】
【図１】本発明の実施の形態を示す金属製扉と換気ユニットと取付用部材の分解斜視図である。
【図２】換気ユニットを取付けた状態の金属製扉下部の断面図である。
【図３】換気ユニットの正面図である。
【図４】図３のＡ−Ａ断面図である。
【符号の説明】
１…金属製扉
２…室内側表面板
５…下面板
６…中空部
８…室内側開口部
９…下部開口部
１０…換気ユニット
１１…換気口
１２…パネル本体
１４…フランジ
２０…取付用部材
２１…通気用開口部
２２…取付プレート
２３…ブラケット
３１…防虫ネット
４０…可動プレート
４１…第２換気口
４３…つまみ
４５…スプリング
４６…ヒューズ（熱溶融材）
４７…突片
【図１】
0003680234.tif 000002
【図２】
0003680234.tif 000003
【図３】
0003680234.tif 000004
【図４】
0003680234.tif 000005